(57)【要約】【解決手段】マッピングレンズメータは、レンズのマクロ画像を検出するように構成されるマクロ結像系を有することを特徴とする。レンズのマクロ画像は、レンズの合成画像を形成するために、レンズのさまざまな部分における局所的な屈折力を示す、レンズのマップと重ね合わせられてもよい。合成画像には、レンズに付された瞳孔マークが含まれてもよい。
2019521330.tif 000002
【特許請求の範囲】
【請求項１】
光軸にレンズを位置合わせするように構成されるレンズホルダと、
少なくとも１つの測定光源を含む光源部であって、前記レンズに光ビームを照射するように構成され、前記光ビームの一部は前記レンズにより屈折する光源部と、
前記レンズにより屈折した前記光ビームを検出し、対応する信号を生成するように構成される測定部と、
前記信号を処理し、前記レンズのさまざまな部分における局所的な屈折力を示す、前記レンズのマップを生成するように構成される制御部と、
前記レンズのマクロ画像を検出するように構成されるマクロ結像系と
を備え、
前記制御部はさらに、前記レンズの合成画像を生成するために、前記レンズのマップと前記レンズのマクロ画像とを重ね合わせるように構成される、マッピングレンズメータ。
【請求項２】
前記制御部に接続され、前記合成画像を表示する表示部をさらに備える、請求項１に記載のマッピングレンズメータ。
【請求項３】
前記レンズは表面に瞳孔マークを含み、前記合成画像には前記レンズのマップに対する前記瞳孔マークが含まれる、請求項１に記載のマッピングレンズメータ。
【請求項４】
前記制御部は、複数のレンズ設計の各々に関するレンズフィッティング情報を格納し、前記合成画像において、前記複数のレンズ設計のうち選択した１つの前記レンズフィッティング情報を表す印を重ね合わせるように構成される、請求項１に記載のマッピングレンズメータ。
【請求項５】
前記レンズフィッティング情報は、レンズフィッティングポイント、遠用部確認円、および近用部確認円のうち１つ以上を含む、請求項１に記載のマッピングレンズメータ。
【請求項６】
前記光ビームの波長帯は調整可能である、請求項１に記載のマッピングレンズメータ。
【請求項７】
前記マクロ結像系は、前記光軸とは異なるマクロ結像軸に沿って光の進路を変更するビームスプリッタを前記光軸上に備える、請求項１に記載のマッピングレンズメータ。
【請求項８】
前記ビームスプリッタは、前記光ビームの方向において、前記レンズホルダより下流側の前記光軸上に位置する、請求項７に記載のマッピングレンズメータ。
【請求項９】
前記ビームスプリッタは、前記光ビームの方向において、前記レンズホルダより上流側の前記光軸上に位置する、請求項７に記載のマッピングレンズメータ。
【請求項１０】
前記マクロ結像系は、前記レンズのマクロ画像の検出を支援するために、前記レンズを照明する少なくとも１つの結像光源をさらに備える、請求項７に記載のマッピングレンズメータ。
【請求項１１】
前記少なくとも１つの結像光源からの光は、第１の波長帯を有して放出されるか、または第１の波長帯を有するようにフィルタにかけられ、前記少なくとも１つの測定光源からの光は、前記第１の波長帯とは異なる第２の波長帯を有して放出されるか、または前記第１の波長帯とは異なる第２の波長帯を有するようにフィルタにかけられる、請求項１０に記載のマッピングレンズメータ。
【請求項１２】
前記少なくとも１つの結像光源からの光は、第１の波長帯を有して放出されるか、または第１の波長帯を有するようにフィルタにかけられ、前記少なくとも１つの測定光源からの光は、前記第１の波長帯を有し放出されるか、または前記第１の波長帯を有するようにフィルタにかけられる、請求項１０に記載のマッピングレンズメータ。
【請求項１３】
前記マクロ結像系は、結像レンズと、進路変更された光を受光する受光領域検出器とをさらに備える、請求項７に記載のマッピングレンズメータ。
【請求項１４】
前記レンズは、眼鏡フレームに支えられた第１の眼鏡レンズであり、前記レンズホルダは、前記眼鏡フレームを保持するように構成され、前記第１の眼鏡レンズのマクロ画像は、前記眼鏡フレームの少なくとも一部を含む、請求項１に記載のマッピングレンズメータ。
【請求項１５】
前記レンズホルダは、前記測定部を基準として移動可能であり、前記測定部を基準として前記レンズホルダを移動させることで、前記眼鏡フレームに支えられた第２の眼鏡レンズは、前記第１の眼鏡レンズの後で連続して測定される、請求項１４に記載のマッピングレンズメータ。
【請求項１６】
前記眼鏡フレームは第２の眼鏡レンズを支え、
前記マッピングレンズメータは、
前記第２の眼鏡レンズに平行光の第２のビームを照射するように構成される第２の光源部であって、前記第２の光ビームの一部は前記第２の眼鏡レンズにより屈折する第２の光源部と、
前記第２の眼鏡レンズにより屈折した前記第２の光ビームを検出し、対応する第２の画像信号を生成するように構成される第２の測定部と、
前記第２の眼鏡レンズのマクロ画像を検出するように構成される第２のマクロ結像系と
をさらに備え、
前記制御部はさらに、前記第２の画像信号を処理し、前記第２の眼鏡レンズのさまざまな部分における局所的な屈折力を示す、前記第２の眼鏡レンズのマップを生成するように構成され、また、前記第２の眼鏡レンズの合成画像を生成するために、前記第２の眼鏡レンズのマップと前記第２の眼鏡レンズのマクロ画像とを重ね合わせるように構成され、
前記第１の眼鏡レンズおよび前記第２の眼鏡レンズは、マッピングレンズメータにより同時に測定される、請求項１４に記載のマッピングレンズメータ。
【請求項１７】
レンズの屈折力をマッピングする方法であって、
前記レンズのさまざまな部分における局所的な屈折力を示す、前記レンズのマップを生成するステップと、
前記レンズのマクロ画像を生成するステップと、
前記レンズの合成画像を生成するために、前記マップと前記マクロ画像とを重ね合わせるステップと
を含む、方法。
【請求項１８】
瞳孔マークにより前記レンズ上に瞳孔位置を示すステップをさらに含み、前記合成画像には、前記レンズのマップに対して前記瞳孔マークが含まれる、請求項１７に記載の方法。
【請求項１９】
前記合成画像においてレンズフィッティング情報を表す印を重ね合わせるステップをさらに含み、前記レンズフィッティング情報は、レンズフィッティングポイント、遠用部確認円、および近用部確認円のうち１つ以上を含む、請求項１７に記載の方法。
【発明の詳細な説明】
【技術分野】
【０００１】
本発明は、眼鏡レンズおよびコンタクトレンズの光学的特性を測定する自動レンズメータの分野に関する。
【背景技術】
【０００２】
自動レンズメータは、レンズの球面、円柱、軸、およびプリズムを測定することで、補正レンズの処方を裏付けるために、検眼士および眼鏡技師により用いられる。自動レンズメータはまた、未切断のレンズを正しい位置に置いて、該レンズに印を付けたり、眼鏡のフレームにおけるレンズの適正な取り付けおよび処方を確認したりするために用いられる。自動レンズメータはさらに、累進屈折力レンズ（Progressive Addition Lenses：ＰＡＬ）における異なる視野領域の幾何学的なレイアウトおよび精度を点検するためにも用いられる。
【０００３】
一般に、ＰＡＬを装着する患者は不快感を覚える。この不快感の主な原因は、ＰＡＬのフィッティングポイントと患者の瞳孔との位置関係のずれである。ずれのうち最も重大な種類は、水平軸におけるフィッティングポイントと瞳孔とのずれである。ずれの特定は面倒なプロセスである。ここで、図１〜３を参照して、このプロセスを説明する。最初に、図１に示すように、眼鏡技師は、患者が眼鏡のフレームを装着した状態で、眼鏡レンズに瞳孔の印を付ける。次に、図２に示すように、レンズに刻印された設計識別子で示された、ＰＡＬの特定のブランドおよびモデル専用のレイアウト図の上にレンズを置く（図３を参照）。レンズ上の１対のアライメント基準マークは、レイアウト図の上でレンズを適切に位置合わせし、配置するために、眼鏡技師により用いられる。最後に、レイアウト図の上でレンズが適切に位置合わせされた状態で、眼鏡技師は、レンズ上の瞳孔マークの位置がレイアウト図のフィッティングポイントと一致するか否かを確認する。一致しない場合は、ずれが生じている。
【０００４】
ＰＡＬに付随する、よくあるもう一つの課題は、選択されたフレームに対して、レンズの最小フィッティング高さが長すぎることである。その結果、図４に示すように、レンズの近用部が切断されてしまうことがある。この課題は、前述の課題と同様のプロトコルで特定される可能性があり、レイアウト図上の近用部確認円が部分的または完全にレンズからはみ出ていることにより示される。
【０００５】
ＰＡＬの処方においてＸ軸上のプリズムがなければ、ＰＡＬの遠用部および近用部基準点のおおよその位置は、一度にＰＡＬの１点を測定する標準的な自動レンズメータにより検出できる。それでも、測定プロセスは時間がかかり、判定の精度は高くない。ＰＡＬの遠用部および近用部基準点を正確かつ迅速に検出する目的で、同時にＰＡＬの全ての点を測定するマッピングレンズメータ、例えば、シャックハルトマン波面センサーによる解析を利用するレンズメータがすでに存在する。しかしながら、既知のマッピングレンズメータは、患者の瞳孔に対する遠用部および近用部基準点の位置を表示しない。
【発明の概要】
【０００６】
本発明は、レンズを保持するように構成されるレンズホルダと、光ビームの一部がレンズにより屈折するように、レンズに光ビームを照射するように構成される光源部と、レンズにより屈折した光ビームを検出し、対応する信号を生成するように構成される測定部と、信号を処理し、レンズのさまざまな部分における局所的な屈折力を示す、レンズのマップを生成するように構成される制御部とを備えるマッピングレンズメータを提供する。マッピングレンズメータは、レンズのマクロ画像を検出するように構成されるマクロ結像系を有することを特徴とし、制御部はさらに、レンズの合成画像を生成するために、レンズのマップとレンズのマクロ画像とを重ね合わせるように構成される。マッピングレンズメータは、制御部に接続され、合成画像を表示する表示部をさらに備えてもよい。レンズは、眼鏡フレームに取り付けられる眼鏡レンズであってもよく、合成画像は、眼鏡レンズと、レンズを包囲する眼鏡フレームの少なくとも一部とを含んでもよい。レンズは表面に瞳孔マークを含んでもよく、合成画像にはレンズのマップに対する瞳孔マークが含まれてもよい。
【０００７】
マッピングレンズメータの制御部は、複数のレンズ設計の各々に関するレンズフィッティング情報を格納し、合成画像において、複数のレンズ設計のうち選択した１つのレンズフィッティング情報を表す印を重ね合わせるように構成されてもよい。レンズフィッティング情報は、レンズフィッティングポイント、遠用部確認円、および近用部確認円のうち１つ以上を含んでもよい。
【０００８】
マクロ結像系は、ビームスプリッタと、レンズを照明する少なくとも１つの結像光源と、結像レンズと、受光領域検出器とを備えてもよい。ビームスプリッタは、眼鏡レンズおよび包囲眼鏡フレームにより反射または散乱した光の進路をマクロ結像軸に沿って結像レンズの方へ変更するために、光軸上に位置してもよく、結像レンズは、進路変更された光を受光領域検出器上に投影する。一実施形態では、ビームスプリッタは、測定光ビームの方向において、レンズホルダより下流側に位置する。別の実施形態では、ビームスプリッタは、測定光ビームの方向において、レンズホルダより上流側に位置する。
【０００９】
１対の眼鏡レンズを効率的に測定するために、レンズホルダを、光源部、測定部、およびマクロ結像系を基準として移動可能とし、第１のレンズを測定した後でレンズホルダ部から眼鏡フレームを取り外さずに、第２のレンズを光源部、測定部、およびマクロ結像系と合わせて位置合わせできるようにしてもよい。さらなる効率化のために、マッピングレンズメータは、制御部に接続された、２つの光源部と、２つの測定部と、２つのマクロ結像系とを有してもよく、１対の眼鏡レンズは、マッピングレンズメータにより同時に測定されてもよい。
【００１０】
本発明はまた、レンズの屈折力をマッピングする方法を含む。本方法は、レンズのさまざまな部分における局所的な屈折力を示す、レンズのマップを生成するステップと、レンズのマクロ画像を生成するステップと、レンズの合成画像を生成するために、マップとマクロ画像とを重ね合わせるステップとを含む。本発明は、瞳孔マークによりレンズ上に瞳孔位置を示すステップをさらに含み、合成画像には、レンズのマップに対して瞳孔マークが含まれる。本方法はまた、合成画像においてレンズフィッティング情報を表す印を重ね合わせるステップを含んでもよく、レンズフィッティング情報は、レンズフィッティングポイント、遠用部確認円、および近用部確認円のうち１つ以上を含む。
【図面の簡単な説明】
【００１１】
以下に、添付図面とともに発明の詳細な説明において、本発明の性質および構成をより詳細に説明する。
【００１２】
【図１】ＰＡＬ上のフィッティングポイントと装着者の瞳孔とのずれを特定する、先行技術のプロセスを示す。
【図２】ＰＡＬ上のフィッティングポイントと装着者の瞳孔とのずれを特定する、先行技術のプロセスを示す。
【図３】ＰＡＬ上のフィッティングポイントと装着者の瞳孔とのずれを特定する、先行技術のプロセスを示す。
【図４】選択されたフレームに対して、ＰＡＬの最小フィッティング高さが長すぎて、ＰＡＬの近用部が切断される課題を示す。
【図５Ａ】本発明の一実施形態に係って形成される自動マッピングレンズメータの模式図である。
【図５Ｂ】本発明の別の実施形態に係って形成される自動マッピングレンズメータの模式図である。
【図６】マッピングレンズメータの測定部の光検知領域検出器上の照明スポットを示す図であり、マッピングレンズメータによる測定の対象であるＰＡＬの画像と合成されている。シャックハルトマンの技術が測定部により用いられている。
【図７】自動マッピングレンズメータにより生成される出力画像である。眼鏡フレームおよび測定対象のＰＡＬの画像がＰＡＬの収差／屈折力マップと重ね合わせられている。
【図８】本発明の一実施形態に係るマッピングレンズメータの模式上面図である。眼鏡フレームに支えられた第１および第２の眼鏡レンズの順次測定を可能にするために、マッピングレンズメータのレンズホルダが水平方向に移動する。
【図９】本発明の別の実施形態に係るマッピングレンズメータの模式上面図である。マッピングレンズメータは、眼鏡フレームに支えられた第１および第２の眼鏡レンズを同時に測定するように構成されている。
【発明を実施するための形態】
【００１３】
ここで、図５Ａ〜７を参照する。図５Ａおよび図５Ｂは、本発明の代替的な実施形態に係って形成される自動マッピングレンズメータ１０を模式的に示す。レンズメータ１０は一般的に、光源部１２と、レンズ保持部１４と、測定部１６と、制御部１８と、表示部（表示装置）２０とを備える。以下に、より詳細に説明するように、レンズメータ１０は、眼鏡技師により付された、レンズＬ上の瞳孔マークＰ（図７を参照）を含む、眼鏡レンズＬおよび包囲眼鏡フレームＦ（図６および７を参照）のマクロ画像を生成するように配置されたマクロ結像系２２を有することを特徴とする。マクロ画像は、レンズＬの収差／屈折力マップに対して眼鏡フレームおよび瞳孔マークを示す合成出力画像を提供するために、レンズの収差／屈折力マップと重ね合わせられてもよい。
【００１４】
光源部１２は光源２４を有する。市販の光検出器により光を検出できるよう、光源２４は、約４００ｎｍ〜１０００ｎｍの範囲にある波長を中心とする波長帯において光を発する発光ダイオードまたはレーザーダイオードであってもよい。あるいは、所望の波長帯を実現するために、光源２４からの光を波長フィルタ（図示略）にかけてもよい。波長帯を調整できるようにするために、複数の異なる選択可能な波長フィルタを提供してもよい。明らかなように、光源２４は、光軸２６を中心とし、光軸２６に沿って進む発散照明ビームを発生させる。光源部１２はさらに、光源２４の後ろに配置され、光源２４からの発散ビームを平行化するコリメーティングレンズ２８を有する。平行ビームは、光源部１２の平面状の射出カバー３０を通過して、レンズ保持部１４へ進む。
【００１５】
レンズ保持部１４は、レンズＬを着脱可能に安定化させ、照明ビームの経路の光軸２６にレンズを位置合わせするレンズホルダ３２を備える。レンズホルダ３２は、眼鏡フレームＦに支えられた眼鏡レンズＬを着脱可能に固定するように構成されてもよい。レンズホルダ３２は、市販のレンズメータ、例えば、Ｒｅｉｃｈｅｒｔ  Ｔｅｃｈｎｏｌｏｇｉｅｓ社から発売されているＭＬ１手動レンズメータ、ＬｅｎｓＣｈｅｋＴＭ  Ｐｌｕｓ、ＬｅｎｓＣｈｅｋＴＭ  Ｐｒｏ、およびＡＬ２００デジタルレンズメータに使用されるレンズホルダまたはレンズ平板に類似していてもよい。レンズホルダ３２は、取り外し可能なコンタクトレンズホルダ（図示略）を取り付けて、眼鏡レンズの代わりにコンタクトレンズを保持するように改造されてもよい。明らかなように、照明ビームの少なくとも一部がレンズＬを通過し、屈折する。
【００１６】
その後、屈折ビームは、測定部１６の平面カバー３６を通過して、測定部に入射する。測定部１６は、第１のレンズ４０および第２のレンズ４２を有する望遠レンズ系３８を備える。測定部１６はまた、絞り４４と、２次元レンズレットアレイ４６（別名、マイクロレンズアレイ）と、第２のレンズ４２の後ろに順番に配置された感光領域検出器４８とを備える。当然のことながら、望遠レンズ系３８は、屈折ビームが絞り４４に到達する前に、屈折ビームの倍率を変更する。絞り４４を通過した光がレンズレットアレイ４６に到達すると、レンズレットアレイの個々のレンズレットは、領域検出器４８の受光素子に光を収束させる。領域検出器４８は、受光する光の強度を表す信号情報を生成する、電荷結合素子（Charge-Coupled Device：ＣＣＤ）アレイ、相補型金属酸化膜半導体（Complementary Metal-Oxide-Semiconductor：ＣＭＯＳ）チップ、カメラチップ、またはその他の受光素子もしくは画素の２次元アレイであってもよい。検出された画像信号情報は制御部１８に伝達されて、その後の処理のためにデジタル化される。制御部１８は、画像処理を行い、レンズメータ１０の動作に関する制御機能を実行する、１つ以上のマイクロプロセッサを備える。制御部１８はまた、必要に応じて、プログラミング命令、較正データ、画像データ、およびその他のデータを格納する、１つ以上のメモリーモジュールを備えてもよい。
【００１７】
レンズメータ１０は、シャックハルトマンの波面検知技術を用いてレンズＬの収差／屈折力マップを生成する点において、既存のマッピングレンズメータに類似している。図６に示すように、領域検出器４８上の光スポットの一部は、レンズＬの画像の外側にあり、無視される場合がある。レンズＬの対象となるスポットのみが、収差／屈折力マップの生成に用いられる。図７は、グレースケールの陰影での典型的な収差／屈折力マップを示している（色は通常、レンズのある範囲における局所的な屈折力を示すために用いられる）。レンズＬの近用部と遠用部とは、マップ上で識別可能である。
【００１８】
レンズメータ１０は、マクロ結像系２２を有することを特徴とする。マクロ結像系２２は、眼鏡レンズＬおよび包囲眼鏡フレームＦにより反射または散乱した光の進路をマクロ結像軸５２に沿って変更するために、光軸２６上に配置されるビームスプリッタ５０を備えてもよい。図５Ａに示す実施形態では、ビームスプリッタ５０は、測定光源２４からの測定光ビームの方向において、レンズホルダ３２より下流側に位置する。図５Ｂに示す実施形態では、ビームスプリッタ５０は、測定光ビームの方向において、レンズホルダ３２より上流側に位置する。
【００１９】
マクロ結像用途の光は、眼鏡レンズＬおよび付随する眼鏡フレームに斜めに向けられた、１つ以上の結像光源５１により供給されてもよい。図５Ａに示すように、ビームスプリッタ５０は、マクロ結像軸５２に沿って進むように、測定光源２４からの測定光ビームの一部の進路を変更し、測定光ビームの残存部分を透過してもよい。結像光源５１からの光および測定光源２４からの光は、２つの異なる波長帯または同一の波長帯を有して放出されるか、または２つの異なる波長帯または同一の波長帯を有するようにフィルタにかけられてもよい。異なる波長帯が与えられる場合、ビームスプリッタ５０は、結像光源５１に関連する波長帯を反射し、測定光源２４に関連する波長帯を透過するように選択されてもよい。
【００２０】
マクロ結像系２２はまた、結像レンズ５４と、受光領域検出器５６とを備え、レンズＬのマクロ画像およびフレームＦの少なくとも一部を取り込むために、ビームスプリッタ５０によりマクロ結像軸５２に沿って反射した光は、結像レンズ５４により領域検出器５６上に投影される。領域検出器５６は、受光する光の強度を表す信号情報を生成する、ＣＣＤアレイ、ＣＭＯＳチップ、カメラチップ、またはその他の受光素子もしくは画素の２次元アレイであってもよい。
【００２１】
前述のように、眼鏡技師により付された、レンズＬ上の瞳孔マークＰを含む、レンズＬおよび包囲眼鏡フレームＦのマクロ画像は、レンズＬの収差／屈折力マップと重ね合わせられてもよい。画像の重ね合わせにより、レンズＬの収差／屈折力マップに対してレンズＬ上の瞳孔マークＰを示す、図７に示すような合成出力画像が提供される。合成出力画像において瞳孔マークＰが見えるように、収差／屈折力マップは、ある程度の透明性を有するべきである。画像情報の重ね合わせは、適切な画像処理重ね合わせルーチンにより、制御部１８で行われてもよい。合成出力画像は、表示装置２０に表示されたり、印刷装置（図示略）により印刷されたりしてもよい。
【００２２】
本発明のさらなる態様では、さまざまなレンズの製造業者が提供するレンズ設計に関する情報（レンズフィッティングポイント、遠用部確認円、および近用部確認円の情報）を含むデータベースが、レンズメータ１０の記憶装置に格納されてもよい。制御部１８は、操作者が、測定対象のレンズＬに対応するレンズ設計情報を取得できるようにし、合成出力画像において所定のフィッティングポイント、遠用部確認円、および近用部確認円の位置を示す印を重ね合わせるように構成されてもよい。このように、手で印を付けた瞳孔ポイントＰ、所定のフィッティングポイント、その他のレンズ設計仕様と、マッピングされたＰＡＬの屈折部との関係は、１つの画像で操作者により容易に参照されうる。
【００２３】
マッピングレンズメータ１０は、ユーザが、第１のレンズを測定した後でレンズホルダ３２から第１のレンズを取り外し、第２のレンズを測定するために第２のレンズをレンズホルダに装着する必要がある、固定されたレンズホルダ３２を有してもよい。しかしながら、図８の実施形態で示すように、レンズ保持部１４のレンズホルダ３２は、１対の眼鏡を保持し、光源部１２および測定部１６を基準として移動してもよく、光源部および測定部を基準としてレンズホルダを移動させることで、眼鏡フレームＦに支えられた第２の眼鏡レンズＬ２は、第１の眼鏡レンズの後で連続して測定される。これにより、ホルダ３２から眼鏡を取り外し、測定の合間にホルダにおける眼鏡の位置を変更する必要がなくなるため、測定プロセスが速まる。レンズホルダ３２の移動は、光源部１２および測定部１６を基準としてレンズホルダ部１４全体を移動させることで、またはレンズホルダ部１４内のレンズホルダ３２を移動させることで、実現されてもよい。移動は手動で、または電動機（図示略）で駆動して自動で行われてもよい。
【００２４】
別の実施形態では、図９に示すように、マッピングレンズメータ１０は、制御部１８に接続された、２つの光源部１２と、２つの測定部１６と、２つのマクロ結像系２２とを有し、第１の眼鏡レンズＬ１および第２の眼鏡レンズＬ２は、マッピングレンズメータ１０により同時に測定される。１つのレンズ保持部１４が固定位置に留まってもよい。
【００２５】
本発明はまた、レンズの屈折力をマッピングする方法により具現化される。本方法は、レンズのさまざまな部分における局所的な屈折力を示す、レンズのマップを生成するステップと、レンズのマクロ画像を生成するステップと、レンズの合成画像を生成するために、マップとマクロ画像とを重ね合わせるステップとを含む。本発明は、瞳孔マークによりレンズ上に瞳孔位置を示すステップをさらに含み、合成画像には、レンズのマップに対して瞳孔マークが含まれる。瞳孔マークは、マーキングペンを用いて付されてもよい。本方法は、合成画像においてレンズフィッティング情報を表す印を重ね合わせるステップをさらに含んでもよい。レンズフィッティング情報は、レンズフィッティングポイント、遠用部確認円、および近用部確認円のうち１つ以上を含んでもよい。レンズフィッティング情報は、制御部１８の一部として提供されうる記憶装置に格納されてもよい。
【００２６】
前述の説明からわかるように、本発明のマッピングレンズメータ１０は、処方レンズと眼鏡フレームとを合わせる際、および不適切なフィット性が原因で患者が遭遇する可能性のある課題を解決する際の効率を向上させる。
【図１】
2019521330.tif 000003
【図２】
2019521330.tif 000004
【図３】
2019521330.tif 000005
【図４】
2019521330.tif 000006
【図５Ａ】
2019521330.tif 000007
【図５Ｂ】
2019521330.tif 000008
【図６】
2019521330.tif 000009
【図７】
2019521330.tif 000010
【図８】
2019521330.tif 000011
【図９】
2019521330.tif 000012
【国際調査報告】
2019521330.tif 000013